(57)【要約】【課題】記録ディスクの振動を低減しつつ気流を有効利用することができる記録ディスク駆動装置を提供する。【解決手段】記録ディスク１３の外周端面１３ａには一定の間隔で第１および第２シュラウド２３、３２が向き合わせられる。第２シュラウド３２は記録ディスク１３の回転方向に沿って下流側に第１シュラウド２３から隔てられる。第１および第２シュラウド２３、３２の間では板片３６が外周端面１３ａに一定の間隔で向き合わせられる。板片３６はシュラウドとして機能する。板片３６の働きで気流の乱れは抑制される。記録ディスク１３の振動は低減されることができる。しかも、板片３６は、記録ディスク１３の回転軸に直交する１仮想平面に沿って広がる。第１および第２シュラウド２３、３２の間で気流の滞留は阻止される。気流は効率的に取り出されることができる。気流は有効利用されることができる。【選択図】図２
2005235354.tif 000002
【特許請求の範囲】
【請求項１】
記録ディスクと、一定の間隔で記録ディスクの外周端面に向き合わせられる第１シュラウドと、記録ディスクの回転方向に沿って下流側に第１シュラウドから隔てられ、一定の間隔で記録ディスクの外周端面に向き合わせられる第２シュラウドと、第１および第２シュラウドの間で記録ディスクの外周端面に一定の間隔で向き合わせられ、記録ディスクの回転軸に直交する１仮想平面に沿って広がる板片とを備えることを特徴とする記録ディスク駆動装置。
【請求項２】
請求項１に記載の記録ディスク駆動装置において、前記第２シュラウドには、所定の間隔で記録ディスクの表面に向き合わせられる整流板が固定されることを特徴とする記録ディスク駆動装置。
【請求項３】
請求項１に記載の記録ディスク駆動装置において、前記第１シュラウドには、記録ディスクの回転方向に沿って下流に向かうにつれて記録ディスクの外周端面から遠ざかる案内壁が接続されることを特徴とする記録ディスク駆動装置。
【請求項４】
請求項３に記載の記録ディスク駆動装置において、前記第２シュラウドには、前記案内壁に向き合わせられる補助案内壁が接続されることを特徴とする記録ディスク駆動装置。
【請求項５】
記録ディスク駆動装置の筐体に固定される取り付け部材と、所定の円柱空間に沿ってシュラウド面を規定するシュラウドと、円柱空間の対象軸に直交する第１平面に沿って広がり、円柱空間に沿って端面を規定する板片と、第１平面に平行な第２平面に沿って広がり、円柱空間に進入する整流板とを備えることを特徴とする記録ディスク駆動装置向け組み込み部品。
【発明の詳細な説明】
【技術分野】
【０００１】
本発明は、例えばハードディスク駆動装置（ＨＤＤ）といった記録ディスク駆動装置に関し、特に、記録ディスクと、一定の間隔で記録ディスクの外周端面に向き合わせられるシュラウドとを備える記録ディスク駆動装置に関する。
【背景技術】
【０００２】
例えばハードディスク駆動装置（ＨＤＤ）では磁気ディスクの外側にシュラウドが配置される。シュラウドには、一定の間隔で磁気ディスクの外周端面に向き合わせられるシュラウド面が規定される。シュラウド面は所定の円柱空間に沿って規定される。磁気ディスクの回転中、例えば磁気ディスクの表面に沿って気流が生成される。気流の乱れはシュラウド面の働きで抑制されることができる。
【特許文献１】特開２０００−３４８４６５号公報
【特許文献２】特開昭５３−５７００９号公報
【特許文献３】米国特許第５８９８５４５号明細書
【特許文献４】米国特許第５６９６６４９号明細書
【発明の開示】
【発明が解決しようとする課題】
【０００３】
シュラウドはヘッドアクチュエータの揺動範囲やその周囲の領域で途切れる。こういったシュラウドの途切れは気流の乱れを引き起こす。気流の乱れに応じて磁気ディスクは振動してしまう。その一方で、ＨＤＤ内では気流の流通に基づきＩＣチップやボイスコイルモータといった発熱部品の温度上昇は抑制されることができる。磁気ディスクの回転で引き起こされる気流が有効利用されることが望まれる。
【０００４】
本発明は、上記実状に鑑みてなされたもので、記録ディスクの振動を低減しつつ気流を有効利用することができる記録ディスク駆動装置を提供することを目的とする。本発明は、そういった記録ディスク駆動装置の実現に大いに役立つ記録ディスク駆動装置向け組み込み部品を提供することを目的とする。
【課題を解決するための手段】
【０００５】
上記目的を達成するために、本発明によれば、記録ディスクと、一定の間隔で記録ディスクの外周端面に向き合わせられる第１シュラウドと、記録ディスクの回転方向に沿って下流側に第１シュラウドから隔てられ、一定の間隔で記録ディスクの外周端面に向き合わせられる第２シュラウドと、第１および第２シュラウドの間で記録ディスクの外周端面に一定の間隔で向き合わせられ、記録ディスクの回転軸に直交する１仮想平面に沿って広がる板片とを備えることを特徴とする記録ディスク駆動装置が提供される。
【０００６】
こうした記録ディスク駆動装置では、記録ディスクの回転に基づき気流が生成される。気流は記録ディスクの回転に基づき記録ディスクの外周に向かって誘導される。第１および第２シュラウドの間で記録ディスクの外周端面には一定の間隔で板片が向き合わせられる。板片はシュラウドとして機能する。こうした板片の働きで気流の乱れは抑制されることができる。記録ディスクの振動は低減されることができる。
【０００７】
しかも、記録ディスクの回転に基づき生成された気流は第１および第２シュラウドの間に誘導される。第１および第２シュラウドの間では、板片は、記録ディスクの回転軸に直交する１仮想平面に沿って広がる。第１および第２シュラウドの間で気流の滞留は阻止されることができる。したがって、第１および第２シュラウドの間では記録ディスクの振動を低減しつつ気流は効率的に取り出されることができる。気流は有効利用されることができる。
【０００８】
こうした記録ディスク駆動装置では、第２シュラウドには、所定の間隔で記録ディスクの表面に向き合わせられる整流板が固定されればよい。こうした整流板の働きで気流の乱れは一層抑制されることができる。第２シュラウド、板片および整流板は１部品に構成されればよい。こうして組み込み部品が１部品から構成されれば、記録ディスク駆動装置への組み込みにあたって作業性は向上することができる。
【０００９】
第１シュラウドには、記録ディスクの回転方向に沿って下流に向かうにつれて記録ディスクの外周端面から遠ざかる案内壁が接続されればよい。同様に、第２シュラウドには案内壁に向き合わせられる補助案内壁が接続されればよい。案内壁および補助案内壁の働きで、第１および第２シュラウドの間では気流は効率的に誘導されることができる。
【００１０】
こういった案内壁および補助案内壁は、発熱部品に向かって延びる流通路の導入口を区画すればよい。こうして案内壁および補助案内壁に沿って効率的に誘導された気流は流通路に流れ込む。大量の気流が発熱部品まで誘導される。気流の流通に基づき発熱部品の温度上昇は抑制されることができる。
【００１１】
以上のような記録ディスク駆動装置の実現にあたって、記録ディスク駆動装置の筐体に固定される取り付け部材と、所定の円柱空間に沿ってシュラウド面を規定するシュラウドと、円柱空間の対象軸に直交する第１平面に沿って広がり、円柱空間に沿って端面を規定する板片と、第１平面に平行な第２平面に沿って広がり、円柱空間に進入する整流板とを備えることを特徴とする記録ディスク駆動装置向け組み込み部品が提供されればよい。
【００１２】
こうした組み込み部品によれば、前述されるように、記録ディスクの振動を低減しつつ気流は有効利用されることができる。しかも、取り付け部材やシュラウド、板片、整流板は組み込み部品といった１部品から構成されることができる。組み込み部品の組み込みにあたって作業性は向上することができる。
【発明の効果】
【００１３】
以上のように本発明によれば、記録ディスクの振動を低減しつつ気流を有効利用することができる記録ディスク駆動装置を提供することができる。本発明によれば、そういった記録ディスク駆動装置の実現に大いに役立つ記録ディスク駆動装置向け組み込み部品を提供することができる。
【発明を実施するための最良の形態】
【００１４】
以下に、添付図面を参照しつつ本発明の一実施形態を説明する。
【００１５】
図１は、本発明の第１実施形態に係る記録ディスク駆動装置すなわちハードディスク駆動装置（ＨＤＤ）１１の内部構造を概略的に示す。このＨＤＤ１１は、内部空間を区画する箱形の筐体本体１２を備える。収容空間には、１枚以上の記録ディスクすなわち磁気ディスク１３が収容される。磁気ディスク１３はスピンドルモータ１４の駆動軸に装着される。スピンドルモータ１４は例えば１００００ｒｐｍや１５０００ｒｐｍといった高速度で磁気ディスク１３を回転させることができる。筐体本体１２には、筐体本体１２との間で収容空間を密閉する蓋体すなわちカバー（図示されず）が結合される。
【００１６】
収容空間にはヘッドアクチュエータ１５がさらに収容される。このヘッドアクチュエータ１５はアクチュエータブロック１６を備える。アクチュエータブロック１６は、垂直方向に延びる支軸１７に回転自在に支持される。アクチュエータブロック１６には、支軸１７から水平方向に延びる剛体のアクチュエータアーム１８が区画される。アクチュエータアーム１８は磁気ディスク１３の表面および裏面ごとに配置される。アクチュエータブロック１６は例えば鋳造に基づきアルミニウムから成型されればよい。
【００１７】
アクチュエータアーム１８の先端にはヘッドサスペンション１９が取り付けられる。ヘッドサスペンション１９は、アクチュエータアーム１８の先端から前方に向かって延びる。ヘッドサスペンション１９の前端には浮上ヘッドスライダ２１が支持される。こうして浮上ヘッドスライダ２１はアクチュエータブロック１６に連結される。浮上ヘッドスライダ２１は磁気ディスク１３の表面に向き合わせられる。周知の通り、複数枚の磁気ディスク１３が筐体本体１２内に組み込まれる場合には、隣接する磁気ディスク１３同士の間で２本のアクチュエータアーム１８すなわち２つのヘッドサスペンション１９が配置される。
【００１８】
浮上ヘッドスライダ２１にはいわゆる磁気ヘッドすなわち電磁変換素子（図示されず）が搭載される。この電磁変換素子は、例えば、スピンバルブ膜やトンネル接合膜の抵抗変化を利用して磁気ディスク１３から情報を読み出す巨大磁気抵抗効果（ＧＭＲ）素子やトンネル接合磁気抵抗効果（ＴＭＲ）素子といった読み出し素子と、薄膜コイルパターンで生成される磁界を利用して磁気ディスク１３に情報を書き込む薄膜磁気ヘッドといった書き込み素子とで構成されればよい。
【００１９】
浮上ヘッドスライダ２１には、磁気ディスク１３の表面に向かってヘッドサスペンション１９から押し付け力が作用する。磁気ディスク１３の回転に基づき磁気ディスク１３の表面で生成される気流の働きで浮上ヘッドスライダ２１には浮力が作用する。ヘッドサスペンション１９の押し付け力と浮力とのバランスで磁気ディスク１３の回転中に比較的に高い剛性で浮上ヘッドスライダ２１は浮上し続けることができる。
【００２０】
アクチュエータブロック１６には動力源すなわちボイスコイルモータ（ＶＣＭ）２２が接続される。このＶＣＭ２２の働きでアクチュエータブロック１６は支軸１７回りで回転することができる。こうしたアクチュエータブロック１６の回転に基づきアクチュエータアーム１８およびヘッドサスペンション１９の揺動は実現される。浮上ヘッドスライダ２１の浮上中に支軸１７回りでアクチュエータアーム１８が揺動すると、浮上ヘッドスライダ２１は半径方向に磁気ディスク１３の表面を横切ることができる。こうした浮上ヘッドスライダ２１の半径方向移動に基づき電磁変換素子は目標の記録トラックに位置決めされる。
【００２１】
磁気ディスク１３の外側には、筐体本体１２の底板から立ち上がる第１シュラウド２３が配置される。第１シュラウド２３は所定の円柱空間２４に沿ってシュラウド面２５を規定する。円柱空間２４の対象軸は磁気ディスク１３の回転中心に一致する。したがって、第１シュラウド２３のシュラウド面２５は一定の間隔で磁気ディスク１３の外周端面１３ａに向き合わせられる。第１シュラウド２３はヘッドアクチュエータ１５の揺動範囲やその周囲の領域で途切れる。第１シュラウド２３は例えば筐体本体１２に一体に形成されればよい。
【００２２】
第１シュラウド２３の下流端には案内壁２６が接続される。この案内壁２６は、磁気ディスク１３の回転方向に沿って下流に向かうにつれて磁気ディスク１３の外周端面１３ａから遠ざかる。案内壁２６は例えば磁気ディスク１３の接線方向に沿って広がればよい。案内壁２６は筐体本体１２の内壁面２７に接続される。この内壁面２７にはＶＣＭ２２が向き合わせられる。磁気ディスク１３の回転に基づき気流が生成されると、そういった気流は案内壁２６から内壁面２７に沿ってＶＣＭ２２まで誘導される。
【００２３】
第１シュラウド２３のシュラウド面２５や案内壁２６の表面、筐体本体１２の内壁面２７は機械加工や研磨加工に基づき滑らかに仕上げられる。磁気ディスク１３の回転に基づき生成される気流はシュラウド面２５や案内壁２６の表面、内壁面２７に沿って滑らかに流通することができる。シュラウド面２５や案内壁２６の表面、筐体本体１２の内壁面２７には電着塗装が施されてもよい。電着塗装の働きで塵埃の発生は阻止されることができる。
【００２４】
磁気ディスク１３の外側には組み込み部品２８がさらに配置される。組み込み部品２８は第１シュラウド２３の下流側でヘッドアクチュエータ１５の上流に配置される。組み込み部品２８は、筐体本体１２の底板に固定される取り付け部材２９を備える。取り付け部材２９は例えばねじ（図示されず）に基づき筐体本体１２の底板に固定されればよい。
【００２５】
組み込み部品２８は、取り付け部材２９から磁気ディスク１３の内周に向かって水平方向に広がる整流板３１を備える。整流板３１は前述の円柱空間２４に進入する。その結果、整流板３１の表面は一定の間隔で磁気ディスク１３の表面に向き合わせられる。隣接する磁気ディスク１３同士の間では２つの磁気ディスク１３に共通に１片の整流板３１が配置される。磁気ディスク１３の回転中に磁気ディスク１３の表面に沿って気流が生成されると、整流板３１の働きで気流の乱れは抑制されることができる。
【００２６】
図２に示されるように、取り付け部材２９には第２シュラウド３２が規定される。第２シュラウド３２は磁気ディスク１３の回転方向に沿って第１シュラウド２３から隔てられる。第２シュラウド３２は円柱空間２４に沿ってシュラウド面３３を規定する。シュラウド面３３は一定の間隔で磁気ディスク１３の外周端面１３ａに向き合わせられる。
【００２７】
取り付け部材２９には補助案内壁３４が形成される。補助案内壁３４は第２シュラウド３２の上流端に接続される。補助案内壁３４は前述の案内壁２６に所定の間隔で向き合わせられる。こうして案内壁２６および補助案内壁３４は、ＶＣＭ２２といった発熱部品に向かって延びる流通路３５の導入口を区画する。
【００２８】
図３を参照し、補助案内壁３４には、磁気ディスク１３の回転軸に直交する１仮想平面に沿って広がる板片３６が連結される。板片３６は円柱空間２４に沿って端面３７を規定する。こうして端面３７は磁気ディスク１３の外周端面１３ａに一定の間隔で向き合わせられる。端面３７は第２シュラウド３２のシュラウド面３３に連続する。
【００２９】
図４から明らかなように、板片３６は複数の第１仮想平面３８に沿って広がる。ここでは、磁気ディスク１３は板片３６と同様に第１仮想平面３８に沿って広がる。すなわち、板片３６の厚みは磁気ディスク１３の厚みに一致する。ただし、板片３６の厚みは磁気ディスク１３の厚みより大きく設定されてもよく小さく設定されてもよい。その一方で、整流板３１は第１仮想平面３８に平行な複数の第２仮想平面３９に沿って広がる。第１および第２仮想平面３８、３９の間には一定の間隔が確保される。こうして整流板２８同士の間に１片の板片３６が配置される。
【００３０】
以上のようなＨＤＤ１１では、磁気ディスク１３の回転中、磁気ディスク１３に沿って気流が生成される。気流は磁気ディスク１３の回転に基づき磁気ディスク１３の外周に向かって流通する。第１および第２シュラウド２３、３２の間で磁気ディスク１３の外周端面１３ａには一定の間隔で板片３６の端面３７が向き合わせられる。端面３７はシュラウド面として機能する。こうした端面３７の働きで気流の乱れは抑制されることができる。磁気ディスク１３の振動は低減されることができる。
【００３１】
しかも、磁気ディスク１３の回転に基づき生成された気流はシュラウド面２５から案内壁２６へと誘導される。誘導された気流は、案内壁２６および補助案内壁３４で区画される導入口から流通路３５に流れ込む。導入口では、板片３６および磁気ディスク１３は第１仮想平面３８に沿って広がることから、導入口では気流の滞留は阻止されることができる。そういった気流は流通路３５に大量に流れ込むことができる。大量の気流はＶＣＭ２２まで誘導される。気流の流通に基づきＶＣＭ２２といった発熱部品の温度上昇は抑制されることができる。気流は有効利用されることができる。
【００３２】
取り付け部材２９や整流板３１、第２シュラウド３２、板片３６は組み込み部品２８といった１部品から構成されることができる。組み込み部品２８は鋳造に基づき例えばアルミニウムやステンレス鋼といった金属材料から成型されればよい。こうして組み込み部品２８が１部品から構成されれば、ＨＤＤ１１への組み込みにあたって作業性は向上することができる。
【００３３】
本発明者は、以上のような板片３６の効果を検証した。検証にあたって本発明者は具体例に係るＨＤＤ１１を用意した。同時に、本発明者は比較例に係るＨＤＤを用意した。このＨＤＤでは組み込み部品で板片３６の形成は省略された。具体例および比較例では、磁気ディスクの表裏面に浮上ヘッドスライダは向き合わせられた。磁気ディスクの回転に基づき浮上ヘッドスライダで磁気ディスクから情報は読み出された。読み出された情報に基づき振動の周波数特性は解析された。
【００３４】
図５は振動の周波数特性を示す。比較例に比べて具体例では周波数のゲインがおよそ２〜３［ｄＢ］の範囲で低減されることが確認された。特に、周波数２０００［Ｈｚ］〜３０００［Ｈｚ］の範囲でゲインが低減されることが確認された。こういった周波数は磁気ディスクの振動として把握される。具体例に係るＨＤＤ１１では、板片３６の働きで磁気ディスク１３の振動は抑制されることが確認された。浮上ヘッドスライダ２１および磁気ディスク１３の間で相対変位は抑制されることが確認された。ただし、２０００［Ｈｚ］〜３０００［Ｈｚ］の範囲外でもゲインが低減されることが確認された。
【００３５】
以上のようなＨＤＤ１１では、例えば図６に示されるように、板片３６はできる限り第１シュラウド２３に接近することが望まれる。こうして第１シュラウド２３から第２シュラウド３２までシュラウド面の連続性は確保されることができる。その結果、端面３７の働きでシュラウド面としての機能は一層増大する。磁気ディスク１３の振動は一層低減されることができる。
【００３６】
その他、取り付け部材２９や整流板３１、第２シュラウド３２は１部品として構成されてもよい。すなわち、板片３６は取り付け部材２９や整流板３１、第２シュラウド３２と別部品に構成されてもよい。この場合、板片３６は例えば筐体本体１２やカバー、取り付け部材２９、整流板３１、第２シュラウド３２に両面接着テープやねじといった締結部品に基づき固定されればよい。
【００３７】
こういった板片３６の配置にあたって、板片３６は筐体本体１２やカバー、組み込み部品２８に突き当てられて配置されればよい。同様に、板片３６は、例えば筐体本体１２から立ち上がるピンに基づき筐体本体１２に組み込まれてもよい。その他、板片３６から突き出るピンが筐体本体１２やカバーに区画される孔に嵌め込まれてもよい。こうして板片３６の配置は筐体本体１２内で容易に決定されることができる。
【００３８】
板片３６は、組み込み部品２８と同様に、例えばアルミニウムやステンレス鋼といった金属材料から成型されればよい。板片３６は削り出し加工やＭＩＭ（金属射出成形）加工に基づき形成されてもよい。同様に、板片３６は例えば樹脂材料から形成されてもよい。樹脂材料が用いられれば、金属材料に比べて設計の自由度は高められる。
【００３９】
整流板３１が組み込み部品２８と別部品に構成される場合、板片３６は例えば整流板３１に一体化されてもよい。その他、板片３６は筐体本体１２やカバー、ＶＣＭ２２のカバーに一体化されてもよい。
【００４０】
（付記１）  記録ディスクと、一定の間隔で記録ディスクの外周端面に向き合わせられる第１シュラウドと、記録ディスクの回転方向に沿って下流側に第１シュラウドから隔てられ、一定の間隔で記録ディスクの外周端面に向き合わせられる第２シュラウドと、第１および第２シュラウドの間で記録ディスクの外周端面に一定の間隔で向き合わせられ、記録ディスクの回転軸に直交する１仮想平面に沿って広がる板片とを備えることを特徴とする記録ディスク駆動装置。
【００４１】
（付記２）  付記１に記載の記録ディスク駆動装置において、前記第２シュラウドには、所定の間隔で記録ディスクの表面に向き合わせられる整流板が固定されることを特徴とする記録ディスク駆動装置。
【００４２】
（付記３）  付記２に記載の記録ディスク駆動装置において、前記第２シュラウド、板片および整流板は１部品に構成されることを特徴とする記録ディスク駆動装置。
【００４３】
（付記４）  付記１に記載の記録ディスク駆動装置において、前記第１シュラウドには、記録ディスクの回転方向に沿って下流に向かうにつれて記録ディスクの外周端面から遠ざかる案内壁が接続されることを特徴とする記録ディスク駆動装置。
【００４４】
（付記５）  付記４に記載の記録ディスク駆動装置において、前記第２シュラウドには、前記案内壁に向き合わせられる補助案内壁が接続されることを特徴とする記録ディスク駆動装置。
【００４５】
（付記６）  付記５に記載の記録ディスク駆動装置において、前記案内壁および補助案内壁は、発熱部品に向かって延びる流通路の導入口を区画することを特徴とする記録ディスク駆動装置。
【００４６】
（付記７）  記録ディスク駆動装置の筐体に固定される取り付け部材と、所定の円柱空間に沿ってシュラウド面を規定するシュラウドと、円柱空間の対象軸に直交する第１平面に沿って広がり、円柱空間に沿って端面を規定する板片と、第１平面に平行な第２平面に沿って広がり、円柱空間に進入する整流板とを備えることを特徴とする記録ディスク駆動装置向け組み込み部品。
【図面の簡単な説明】
【００４７】
【図１】図１は、本発明に係る記録ディスク駆動装置の一具体例すなわちハードディスク駆動装置（ＨＤＤ）の内部構造を概略的に示す平面図である。
【図２】図２は、組み込み部品の構造を概略的に示す断面図である。
【図３】図３は、組み込み部品の構造を概略的に示す拡大斜視図である。
【図４】図４は、図２の４−４線に沿った断面図であり、組み込み部品と磁気ディスクとの関係を概略的に示す図である。
【図５】図５は、振動の周波数特性を示すグラフである。
【図６】図６は、本発明の一変形例に係る記録ディスク駆動装置の内部構造を概略的に示す平面図である。
【符号の説明】
【００４８】
１１  記録ディスク駆動装置（ハードディスク駆動装置）、１２  筐体（筐体本体）、１３  記録ディスク（磁気ディスク）、１３ａ  外周端面、２３  第１シュラウド、２４  円柱空間、２６  案内壁、２８  組み込み部品、２９  取り付け部材、３１  整流板、３２  第２シュラウド、３３  シュラウド面、３４  補助案内壁、３５  流通路、３６  板片、３７  端面、３８  第１平面（第１仮想平面）、３９  第２平面（第２仮想平面）。
【図１】
2005235354.tif 000003
【図２】
2005235354.tif 000004
【図３】
2005235354.tif 000005
【図４】
2005235354.tif 000006
【図５】
2005235354.tif 000007
【図６】
2005235354.tif 000008